(57)【要約】【課題】施肥装置のホースを施肥作業だけでなく、各種の作業に利用可能にした苗植機を提供すること。【解決手段】走行車体２の後部に連結した圃場面を均平化するフロート５５，５６に苗植付装置５２を装備し、フロート５５，５６と苗植付装置５２を昇降用リンク装置３で走行車体２に連結し、走行車体２の横幅方向に接地して地面を整地する整地ロータ２７を複数個配置し、施肥装置５に肥料を送風により供給するブロア５８と該ブロア５８からの送風により圃場に肥料を送る施肥ホース６２を設け、該施肥ホース６２とは別にブロア５８からの送風を流す送風用ホース２２を設け、該ホース２２をブロア５８の外側に巻き付けるホース巻付部材５８ｂを設けたので、長い送風用ホース２２であっても使用しない時にはブロア５８の外側に巻き取ることができ、圃場への施肥時以外、例えば機体の清掃時などにも長い送風用ホース２２を用いてブロア風を利用することができる。【選択図】図６
2010075069.tif 000002
【特許請求の範囲】
【請求項１】
走行車体（２）と、該走行車体（２）の後部に連結した圃場面を均平化するフロート（５５，５６）と、該フロート（５５，５６）に装備した苗植付装置（５２）と、前記フロート（５５，５６）と苗植付装置（５２）を走行車体（２）に連結する昇降用リンク装置（３）と、該苗植付装置（５２）に対して昇降自在に、かつ走行車体（２）の進行方向を横断する横幅方向に向けて複数個配置され、接地して地面を整地する整地ロータ（２７）と、肥料を送風により供給するブロア（５８）と該ブロア（５８）からの送風により圃場に肥料を送る肥料ホース（６２）を有する施肥装置（５）とを備えた苗植機において、
肥料ホース（６２）とは別にブロア（５８）からの送風を流す送風用ホース（２２）と、該送風用ホース（２２）をブロア（５８）の外側に巻き付けるホース巻き付け部材（５８ｂ）を設けたことを特徴とする苗植機。
【発明の詳細な説明】
【技術分野】
【０００１】
この発明は、走行車体に苗植付装置を連結した苗植機に関する。
【背景技術】
【０００２】
苗植機は施肥装置を備え、該施肥装置から、粒状の肥料を操出装置の繰出部と施肥ホースなどを経由してブロアの風力によって一定量ずつ、圃場に供給する構成を備えている。
【特許文献１】特開２００７−１１６９７３号公報
【発明の開示】
【発明が解決しようとする課題】
【０００３】
前記特許文献１記載の苗植機には運転席の直後に配置した施肥装置の肥料タンクから粒状の肥料を繰出部によって一定量つつ繰り出し、その肥料をブロアより施肥ホースなどを経由してフロートの左右両側に取り付けた施肥ガイドから圃場に供給している。  
上記構成の施肥装置の施肥ホースは施肥作業時以外には使用していない。  
本発明の課題は、施肥装置の施肥ホースを施肥作業だけでなく、各種の作業に利用可能にした苗植機を提供することである。
【課題を解決するための手段】
【０００４】
上記本発明の課題は、次の技術手段により解決される。  
請求項１に記載の発明は、走行車体（２）と、該走行車体（２）の後部に連結した圃場面を均平化するフロート（５５，５６）と、該フロート（５５，５６）に装備した苗植付装置（５２）と、前記フロート（５５，５６）と苗植付装置（５２）を走行車体（２）に連結する昇降用リンク装置（３）と、該苗植付装置（５２）に対して昇降自在に、かつ走行車体（２）の進行方向を横断する横幅方向に向けて複数個配置され、接地して地面を整地する整地ロータ（２７）と、肥料を送風により供給するブロア（５８）と該ブロア（５８）からの送風により圃場に肥料を送る肥料ホース（６２）を有する施肥装置（５）とを備えた苗植機において、
肥料ホース（６２）とは別にブロア（５８）からの送風を流す送風用ホース（２２）と、該送風用ホース（２２）をブロア（５８）の外側に巻き付けるホース巻き付け部材（５８ｂ）を設けた苗植機である。
【発明の効果】
【０００５】
請求項１に記載の発明によれば、長い送風用ホース（２２）であっても使用しない場合にはブロア（５８）の外側に巻き取ることができ、また圃場への施肥時以外、例えば走行機体（２）の清掃時などにも長い送風用ホース（６２）を用いてブロア風を利用することができる。
【発明を実施するための最良の形態】
【０００６】
この発明の実施例を、図面を参照しながら以下に説明する。  
図１及び図２は本発明の苗植機の一実施例である施肥装置を装着した施肥装置付き乗用型田植機の側面図と平面図である。この施肥装置付き乗用型田植機１は、走行車体２の後側に昇降リンク装置３を介して苗植付部４が昇降可能に装着され、走行車体２の後部上側に施肥装置５の本体部分が設けられている。
【０００７】
走行車体２は、駆動輪である左右一対の前輪１０，１０及び左右一対の後輪１１，１１を備えた四輪駆動車両であって、機体の前部にミッションケース１２が配置され、そのミッションケース１２の左右側方に前輪ファイナルケース１３，１３が設けられ、該左右前輪ファイナルケース１３，１３の操向方向を変更可能な各々の前輪支持部から外向きに突出する左右前輪車軸に左右前輪１０，１０が各々取り付けられている。
【０００８】
また、ミッションケース１２の背面部にメインフレーム１５の前端部が固着されており、そのメインフレーム１５の後端左右中央部に前後水平に設けた後輪ローリング軸を支点にして左右後輪ギヤケース１８，１８がローリング自在に支持され、その左右後輪ギヤケース１８，１８から外向きに突出する後輪車軸１７に後輪１１，１１が取り付けられている。
【０００９】
なお、左右後輪ギヤケース１８，１８には、ミッションケース１２の後壁から突出して設けた左右後輪伝動軸１８ａ，１８ａが連結し、該後輪伝動軸１８ａ，１８ａを経由して動力が伝達される構成となっている。
【００１０】
エンジン２０はメインフレーム１５の上に搭載されており、該エンジン２０の回転動力が、ベルト伝動装置２１及びＨＳＴ２３を介してミッションケース１２に伝達される。ミッションケース１２に伝達された回転動力は、該ケース１２内のトランスミッションにより変速された後、走行動力と外部取出動力に分離して取り出される。そして、走行動力は、一部が前輪ファイナルケース１３，１３に伝達されて前輪１０，１０を駆動すると共に、残りが左右後輪ギヤケース１８，１８に伝達されて左右後輪１１，１１を駆動する。また、ミッションケース１２の右側側面より取出された外部取出動力は、植付伝動軸２６によって苗植付装置５２へ伝動される。なお、施肥装置５の肥料繰出し機構へは、右後輪ギヤケース１８から動力が駆動軸にて取出されて伝動される。
【００１１】
エンジン２０の上部はエンジンカバー３０で覆われており、その上に座席３１が設置されている。座席３１の前方には各種操作機構を内蔵するフロントカバー３２があり、その上方に前輪１０，１０を操向操作するハンドル３４が設けられている。このフロントカバー３２内には、リザーバタンク１６を設け、前記ＨＳＴ２３とパイプ１９で連結して高い位置からオイルをＨＳＴ２３に供給するようにしている。  
また、エンジンカバー３０及びフロントカバー３２の下端左右両側は水平状のフロアステップ３５になっている。
【００１２】
フロアステップ３５の左右前部には複数の貫通孔３５ａ・・・が形成されており、座席３１に着座して機体を操縦する操縦者が左右前輪１０，１０を見通せることができて操縦が容易な構成となっていると共に、該ステップ３５を歩く作業者の靴についた泥が貫通孔３５ａを通って圃場に落下するようになっている。フロアステップ３５の後部は、リヤステップを兼ねる後輪フェンダ３６となっている。
【００１３】
また、走行車体２の前部左右両側には、補給用の苗を載せておく予備苗載台３８，３８が機体よりも側方に張り出す位置と内側に収納した位置とに回動可能に設けられている。
【００１４】
昇降リンク装置３は平行リンク構成であって、１本の上リンク４０と左右一対の下リンク４１，４１を備えている。これらリンク４０，４１，４１は、その基部側がメインフレーム１５の後端部に立設した背面視門形のリンクベースフレーム４２に回動自在に取り付けられ、先端側には縦リンク４３が連結されている。そして、縦リンク４３の下端部に苗植付装置５２に回転自在に支承された連結軸４４が挿入連結され、連結軸４４を中心として苗植付装置５２がローリング自在に連結されている。図１２に示すように苗植付装置５２のフレーム９４に囲まれた位置にセンターフロート５５の昇降を感知する感知部材９３が設けられている。
【００１５】
メインフレーム１５に基部を回動自在に枢支した昇降油圧シリンダ４６の先端を上リンク４０に一体形成したスイングアーム（図示せず）の先端部に連結して設けており、該昇降油圧シリンダ４６を油圧で伸縮させることにより、上リンク４０が上下に回動し、苗植付装置５２がほぼ一定姿勢のまま昇降する。
【００１６】
苗植付装置５２は４条植の構成で、フレームを兼ねる伝動ケース５０、マット苗を載せて左右往復動し苗を一株分つつ各条の苗取出口５１ａ・・・に供給するとともに横一列分の苗を全て苗取出口５１ａ・・・に供給すると苗送りベルト５１ｂ・・・により苗を下方に移送する苗載台５１、苗取出口５１ａ・・・に供給された苗を圃場に植付ける苗植付装置５２・・・、次行程における機体進路を表土面に線引きする左右一対の線引きマーカ（図示せず）等を備えている。
【００１７】
図４と図５は、苗載台５１の上に載せて苗マットの戴置量を増やす２個の補助苗載せ台１１０ａ，１１０ｂの構成で、苗載台５１の上端を挟み込むようにフェンス１１３と後受板１１２を設け、さらに後受板１１２の後に補強材１１１で構成している。後受板１１２が左右方向の位置決めで補強材１１１が前方向への傾きを防ぐ。
【００１８】
苗植付装置５２の下部には中央にセンターフロート５５、その左右両側にサイドフロート５６，５６がそれぞれ設けられている。これらフロート５５，５６，５６を圃場の泥面に接地させた状態で機体を進行させると、フロート５５，５６，５６が泥面を整地しつつ滑走し、その整地跡に苗植付装置５２・・・により苗が植付けられる。各フロート５５，５６，５６は圃場表土面の凹凸に応じて前端側が上下動するように回動自在に取り付けられており、植付作業時にはセンターフロート５５の前部の上下動が前記感知部材９３に設ける迎角制御センサ（図示せず）により検出され、その検出結果に応じ前記昇降油油圧シリンダ４６を制御する油圧バルブ（図示せず）を切り替えて苗植付装置５２を昇降させることにより、苗の植付深さを常に一定に維持する。
【００１９】
施肥装置５は、肥料ホッパ６０に貯留されている粒状の肥料を操出装置５７の繰出部６１・・・によって一定量つつ繰り出し、その肥料を施肥ホース６２・・・でフロート５５，５６の左右両側に取り付けた施肥ガイド６２ａ・・・まで導き、施肥ガイド６２ａ・・・の前側に設けた作溝体６２ｂ・・・によって苗植付条の側部近傍に形成される施肥構内に落とし込むようになっている。電動モータ（図示せず）で駆動するブロア５８で発生させたエアが、左右方向に長いエアチャンバ５９を経由して施肥ホース６２・・・に吹き込まれ、施肥ホース６２・・・内の肥料を風圧で施肥ガイド６２ａへ強制的に搬送するようになっている。このブロア５８の空気吸引口を機体内側のエンジン２０に向けて開口し、エンジン２０の排気ガスを吸引するようにしている。
【００２０】
図３に肥料ホッパ６０とその下部に設けられる操出装置５７の左側面図を示す。操出装置５７は、横長の機枠内に外周に凹溝を形成した操出軸を横架した従来の構成と同じであって、機枠４９（図３）の後側を構成する後壁板５４が下端の枢支軸５３で枢支され、後壁板５４の上側を取り外し後下方へ倒して内部に残留する肥料を転げ出すようにしている。
【００２１】
機枠４９の左側部には操出軸の肥料操出量を調整する操出調整ギアのギア数に合わせたダイヤルギア４７を設け、このダイヤルギア４７のギア溝に係合して回転を係止するピアノ線４８を機枠４９の前側に取り付けている。このダイヤルギア４７の歯位置を操出調整ギアの歯位置と対応させているので、操出調整ギアの組付け時に組付け位置を調整し易い。
【００２２】
さらに、機枠４９から後方へ向けて受板３９を張り出して、この受板３９上に戴置する受皿に前記後壁板５４の後下方への回倒で転げ出る残留肥料を受けたり、オペレータが苗マットを苗載台５１に載せたり肥料を肥料ホッパ６０に供給する際の足踏みステップとして受板３９を利用する。この受板３９の前側は平坦な面で肥料が昇降油圧シリンダ４６側に零れるのも防ぎ、後側には周縁が上に盛り上がった穴２９・・・を複数個設けてオペレータの足が滑らないようにしている。
【００２３】
図６（ａ）に機体左側面から見たブロア５８部分と図６（ｂ）に機体背面から見たブロア５８部分の一部断面図を示すようにブロア５８から噴出する空気を清掃用などに利用できるように、苗植付装置５２に肥料を送る施肥ホース６２とは別にブロア５８からの空気を流す長めの送風用ホース２２を設けておき、該ホース２２を使用しないときはブロア５８の外側壁面に巻き付け可能な構成にすることができる。図６に示すように機体背面から見たブロアケースの外側にホース２２の巻き付け用の部材５８ｂを設けている。
【００２４】
図７のブロア５８からエアチャンバ５９への送風ガイド２４の流路断面図に示すように、ブロア５８の外側に送風用ホース２２を巻き付ける場合には、ブロア５８からの送風をエアチャンバ５９側へ切り替えるためのシャッタ５８ａを送風用ホース２２のエア取出口の取り付け具として利用する。
【００２５】
図１，図２に示すように肥料ホッパ６０の上に太陽熱発電用のソーラパネル３３を設置する。このソーラパネル３３は肥料ホッパ６０の蓋と一体化しておくと、該ホッパ６０内に肥料を補給する場合にもソーラパネル３３が蓋と一緒に開閉でき、肥料補給の邪魔にならない。
【００２６】
肥料ホッパ６０に肥料が入り切らない場合には運転者は足下のフロアステップ３５の上に肥料袋をおき、両足で肥料袋をはさみながら作業を続けることが良くあった。  
そこで肥料ホッパ６０に入り切らない肥料を少しでも収納できるスペースを確保するためにフロアステップ３５の一部に凹部（図示せず）を設けるか又はエンジンカバー３０の前側に凹部（図示せず）を設けておき、ここに余分の肥料袋を収納する。
【００２７】
次に、整地ロータ２７とその支持構造と駆動構成について説明する。  
苗植付装置５２には圃場の乱れた泥土面を整地して均す整地ロータ２７（左右サイドフロート５６，５６の各々の前方に配置された左右整地ロータ２７）が取り付けられている。また、苗載台５１は苗植付装置５２のフレームを兼ねる伝動ケース５０に基部が固定された矩形状の支持枠体６５をレールとして支持ローラで左右方向にスライドする構成である。  
なお、左右補助ステップ２８，２８はエンジンカバー３０の両側のフロアステップ３５に隣接する位置に配置された作業者が機体に乗り降りする時に足を載せるためのステップである。
【００２８】
図８には整地ロータの拡大背面図を示し、図９には整地ロータ取付部の拡大左側面図を示し、図１０には整地ロータ取付部の拡大正面図を示す。また、図１１は整地ロータの昇降機構の作用状態を示す側断面図であり、図１２は整地ロータの駆動力伝動部の平断面図である。また、図１３は整地ロータの上下動機構を示す側面図である。
【００２９】
苗載台５１の前記支持枠体６５の左右中間部からフロート５５，５６を吊下げる支持杆６６にスライド機構Ａ（図９）で支持した取付杆６７（図９）の下端に図８に示すようにリンク６４で連結して整地ロータ支持フレーム６８を設け、この整地ロータ支持フレーム６８の左右中央へ左右に少し傾き可能に伝動ケース９０を取り付けている。取付杆６７と整地ロータ支持フレーム６８を連結するリンク６４は、整地ロータ支持フレーム６８の吊り金具６３に設ける長穴６３ａにリンク６４の一方のピン３７を遊動可能に連結し、整地ロータ支持フレーム６８が少し左右に傾くことが可能である。
【００３０】
図８に示すように伝動ケース９０から左右に突出する駆動軸７０，７０にそれぞれ左右の取付軸６９，６９を連結し、両取付軸６９，６９の左右外端側を整地ロータ支持フレーム６８のサイド支持枠６８ａ，６８ｂに軸支している。この左右取付軸６９，６９には、左右整地ロータ２７，２７を円筒体７１，７１で挟んで一体に回転するように装着している。
【００３１】
伝動ケース９０（図８）は、整地ロータ支持フレーム６８の左右中央にブラケット９２で取り付けられている。また、整地ロータ支持フレーム６８の前突出部８４に下端部が連結した２本のロッド７８，７８（左ロッド７８のみ図１３に図示）にガイドされて昇降リンク装置３と縦リンク４３が上下動可能に取り付けられている。各ロッド７８は縦リンク４３に設けられた４つのローラ４５にガイドされて上下動する。さらに、図１３に示すように整地ロータ支持フレーム６８の前突出部８４にピン８１で連動杆８０を枢支し、この連動杆８０を昇降リンク装置３を構成する上リンク４０の下側に取り付けたピン８３へ連動杆８０に設けた長穴８２で連結している。なお、図９にはフレーム６８の前突出部８４の図示を省略している。
【００３２】
支持杆６６には図９に示すように板状のブラケット８５，８５（図９には左ブラケット８５のみを示す。）を取り付け、このブラケット８５，８５にそれぞれ設ける４個の両鍔付きローラ７２で整地ロータ支持フレーム６８の取付杆６７を上下にスライド可能に挟み込んでいるので取付杆６７はブラケット８５の平面に沿って上下方向にスライドできる。またブラケット８５に一端部を枢支された整地ロータ上下位置調節レバー７４がブラケット８５の平面に沿って前記枢支端部を中心に揺動自在に連結されている。
【００３３】
また、整地ロータ上下位置調節レバー７４の前記枢支端部の反対側の端部は把持部８６であり、該把持部８６近くで整地ロータ上下位置調節レバー７４の折り曲げ部８８が係止する複数凹み溝８７をブラケット８５側に設け、折り曲げ部８８を係止する凹み溝８７の位置を変えることで整地ロータ上下位置調節レバー７４を上下に調節可能にしている。この整地ロータ上下位置調節レバー７４の折り曲げ部８８に取付杆６７の上端に設けるピン７３が当たって整地ロータ支持フレーム６８の苗植付装置５２に対する上昇を制限する。また、取付杆６７の下端近くに設けるピン７５と苗載台５１の支持枠体６５側に設けるピン７６との間に引張ばね７７を設けて整地ロータ支持フレーム６８を吊下げている。なお、引張ばね７７は取付杆６７の長手方向に沿って取り付けられている。
【００３４】
図１３に示すように、下端部が整地ロータ支持フレーム６８の前突出部８４に取り付けられている２つのロッド７８が連動杆８０（前突出部８４にピン８１で枢支される）とほぼ平行配置されるように前突出部８４に取り付けているので整地ロータ２７がねじれること無く、スムーズに上下方向にスライド可能となっている。
【００３５】
また、昇降リンク装置３を構成する左右の縦リンク４３の先端に設けたプレート８９と苗植付部４側との間にスプリング（図示せず）が設けられている。縦リンク４３の上端から更に上方に向けて伸びたプレート８９に設けた貫通孔８９ａ（図１３の矢印Ａ方向から視た図である円内参照）を通してセンタフロート５５の感知部材９３（図１２）用のケーブル（図示せず）を機体本体側に接続すると、頻繁に上下する整地ロータ２７がケーブルに干渉することを防げる。
【００３６】
整地ロータ２７を回転駆動する伝動ケース９０への動力伝動機構は、図１１により説明する。  
機体の左右中央に設けるロータ駆動ケース９５の入力軸９５ａと左ギアケース１８から中央に向けて突出するロータ側出力軸１８ｂを継手９６で連結して動力を伝動する。入力軸９５ａの回転はクラッチ９７を介してベベルギア９５ｂ，９５ｃでロータ駆動軸９５ｄに伝動する。伝動ケース９０の入力軸９０ａに外軸９８の一端に固着したボス部９９を固着し、外軸９８の他端に固着したボス部１００へスプライン嵌合した内軸１０１をロータ駆動軸９５ｄに継手１０２で連結して、ロータ駆動軸９５ｄの回転を入力軸９０ａに伝動している。内軸１０１の外周は伸縮ブーツ１０３で包み、この伸縮ブーツ１０３側が機体の前側で上位に位置しているので泥水がボス部９９との嵌合部に侵入しないようになる。
【００３７】
ロータ駆動ケース９５は、機体の左右中央に設けているので左右の後輪１１，１１が上下してもミッションケース１２との位置関係が変わることなく、伝動ケース９０の上下動によるロータ駆動軸９５ｄの上下回動は入力軸９５ａを中心に行われ、ロータ駆動ケース９５と伝動ケース９０の間隔変化は外軸９８と内軸１０１のスライドによって吸収する。
【００３８】
なお、ロータ駆動ケース９５内にクラッチ９７を設けなければ、このロータ駆動ケース９５と伝動ケース９０を同一形状にして部品の共用化を図って製造コストの低減を行える。
【００３９】
また、ロータ駆動ケース９５のクラッチ９７は、伝動ケース９０への駆動力の断続を行うが、操作ワイヤＷの一端を該クラッチ９７のシフター（図示せず）に連携し、整地ロータクラッチレバー１０６（図１２）で操作ワイヤＷを作動させてロータ駆動軸９５ｄへの動力を入・切して整地ロータ２７を駆動させる状態と停止させる状態とに切り替えられる構成となっている。あるいは、操作ワイヤＷの他端を整地ロータ上下位置調節レバー７４及び昇降リンク装置３に連携して、整地ロータ上下位置調節レバー７４による整地ロータ２７の使用時における上下位置調節操作ではクラッチ９７は入で整地ロータ２７が駆動している状態となり、整地ロータ上下位置調節レバー７４にて整地ロータ２７を収納位置まで上動操作した時にはクラッチ９７は切で整地ロータ２７が停止している状態となるようにしても良い。
【００４０】
また、苗植付装置５２を植付け作業状態まで昇降リンク装置３で下げている時は、クラッチ９７は入りで整地ロータ２７が駆動している状態となり、苗植付装置５２を非植付け作業状態まで昇降リンク装置３で上げた時は、クラッチ９７は切りで整地ロータ２７が停止している状態となる。
【００４１】
整地ロータクラッチレバー１０６は、図１２に示すように、左右の支持部材６６，６６を連結する連結杆１０４の右側に設けるレバーガイド１０５に左右へ傾けてクラッチの入・切を行うように設けている。連結杆１０４の左側に設けるレバーガイド１０９には植付深さ調整レバー１０７と苗取り量調整レバー１０８を設けている。
【００４２】
構成は図示していないが、ハンドル操作部に設けた苗植付入りスイッチの作動に連動して整地ロータ２７が収納位置（上昇位置）に移動出来なくするように整地ロータ２７の収納位置への移動用のモータの作動を禁止する構成にしておくと、苗植付入りスイッチの作動で確実に整地ロータ２７を作動状態に設定することができる。
【００４３】
次に、整地ロータ２７の上下位置調節操作について説明する。  
苗植付装置５２は、昇降リンク装置３によって走行車体２に対して昇降するが、苗植付装置５２の支持枠体６５が上昇すると、整地ロータ２７の整地ロータ支持フレーム６８が引張ばね７７で支持枠体６５に吊下げられているので共に上昇する。この上昇上限近くになると、整地ロータ支持フレーム６８の前突出部８４にピン８１で枢支した連動杆８０の長穴８２の下端が上リンク４０のピン８３に当たり、整地ロータ支持フレーム６８の上昇を押えて、図８に示すように、整地ロータ支持フレーム６８が植付伝動軸２６（図１）に当たらないようになる。
【００４４】
苗植付装置５２を降下してセンターフロート５５とサイドフロート５６，５６を接地すると、整地ロータ２７も接地するが、整地ロータ支持フレーム６８の左右傾きが許容されているので、整地ロータ２７も圃場の凹凸にある程度順応する。
【００４５】
そしてフロート５５，５６が接地すると整地ロータ２７は圃場面に押されて上方向に上がり、整地ロータ上下位置調節レバー７４の折り曲げ部８８に取付杆６７の上端に設けるピン７３が当たって整地ロータ支持フレーム６８の苗植付装置５２に対する上昇を制限する。上リンク４０の下側に取り付けたピン８３により連動杆８０の上方向への移動が出来なくなる。 こうして苗植付前に整地ロータ２７により整地ができ、従来の構成のように苗植付時に下リンク４１で整地ロータ２７を下に押し下げる機構を採用する必要が無くなる。
【図面の簡単な説明】
【００４６】
【図１】本発明の実施例の乗用型田植機の側面図である。
【図２】図１の乗用型田植機の平面図である。
【図３】図１の乗用型田植機の施肥装置の拡大側面図である。
【図４】図１の乗用型田植機の補助苗載台の正面図である。
【図５】図１の乗用型田植機の補助苗載台の左側断面図である。
【図６】図１の乗用型田植機の施肥装置のブロア部分の側面図（図６（ａ））とブロア部分の一部断面背面図（図６（ｂ））である。
【図７】図６のブロアとエアチャンバの間の送風ガイドの流路断面図である。
【図８】図１の乗用型田植機の整地ロータの拡大背面図である。
【図９】図１の乗用型田植機の整地ロータの取付部拡大側面図である。
【図１０】図１の乗用型田植機の整地ロータの取付部拡大正面図である。
【図１１】図１の乗用型田植機の整地ロータの昇降作用状態を示す側面図である。
【図１２】図１の乗用型田植機の整地ロータの駆動力伝動部の平断面図である。
【図１３】図１の乗用型田植機の整地ロータの上下動機構を示す側面図である。
【符号の説明】
【００４７】
１  田植機              ２  走行車体
３  昇降リンク装置      ４  苗植付部
５  施肥装置            １０  前輪
１１  後輪              １２  ミッションケース
１３  前輪ファイナルケース
１５  メインフレーム    １６  リザーバタンク
１７  後輪車軸          １８  後輪ギヤケース
１８ａ  後輪伝動軸      １８ｂ  ロータ側出力軸
１９  パイプ            ２０  エンジン
２１  ベルト伝動装置    ２２  送風用ホース
２３  ＨＳＴ            ２４  送風ガイド
２６  植付伝動軸        ２７  整地ロータ
２８  補助ステップ      ２９  穴
３０  エンジンカバー    ３１  座席
３２  フロントカバー    ３３  ソーラパネル
３４  ハンドル          ３５  フロアステップ
３５ａ  貫通孔          ３６  後輪フェンダ
３７  ピン              ３８  予備苗載台
３９  受板              ４０  上リンク
４１  下リンク
４２  リンクベースフレーム
４３  縦リンク          ４４  連結軸
４５  ローラ
４６  昇降油圧シリンダ
４７  ダイヤルギヤ      ４８  ピアノ線
４９  機枠              ５０  伝動ケース
５１  苗載台            ５１ａ  苗取出口
５１ｂ  苗送りベルト    ５２  苗植付装置
５３  枢支軸            ５４  後壁板
５５  センターフロート  ５６  サイドフロート
５７  繰出装置          ５８  ブロア
５８ａ  シャッタ
５８ｂ  ホース巻き付け部材
５９  エアチャンバ      ６０  肥料ホッパ
６１  繰出部            ６２  施肥ホース
６２ａ  施肥ガイド      ６２ｂ  作溝体
６３  吊り金具          ６３ａ  長穴
６４  リンク            ６５  支持枠体
６６  支持杆            ６７  取付杆
６８  整地ロータ支持フレーム
６８ａ，６８ｂ  サイド支持枠
６９  取付軸            ７０  駆動軸
７１  円筒体            ７２  ローラ
７３  ピン
７４  位置調節レバー    ７５，７６  ピン
７７  バネ              ７８  ロッド
８５  ブラケット        ８６  把持部
８７  凹み溝            ８８  折り曲げ部
８９  プレート          ８９ａ  長穴
９０  伝動ケース        ９０ａ  入力軸
９２  ブラケット        ９３  感知部材
９４  フレーム
９５  ロータ駆動ケース
９５ａ  入力軸
９５ｂ，９５ｃ  ベベルギア
９５ｄ  ロータ駆動軸    ９６  継手
９７  クラッチ          ９８  外軸
９９  １００  ボス部    １０１  内軸
１０２  継手            １０３  ブーツ
１０４  連結杆
１０５，１０９  レバーガイド
１０６  整地ロータクラッチレバー
１０７  植付深さ調整レバー
１０８  苗取り量調整レバー  
１１０ａ，１１０ｂ  補助苗載台
１１１  補強材          １１２  後受板
１１３  フェンス        Ａ  スライド機構
Ｗ  操作ワイヤ
【図１】
2010075069.tif 000003
【図２】
2010075069.tif 000004
【図３】
2010075069.tif 000005
【図４】
2010075069.tif 000006
【図５】
2010075069.tif 000007
【図６】
2010075069.tif 000008
【図７】
2010075069.tif 000009
【図８】
2010075069.tif 000010
【図９】
2010075069.tif 000011
【図１０】
2010075069.tif 000012
【図１１】
2010075069.tif 000013
【図１２】
2010075069.tif 000014
【図１３】
2010075069.tif 000015